(57)【特許請求の範囲】
【請求項１】
デバイスによって遠隔制御されるように構成された第１の装置であって、当該第１の装置は、
−  第２の装置から第１信号を受信するための第１インターフェイスであり、前記第１信号は、前記デバイスからコードを受信したものとして前記第２の装置を規定する、第１インターフェイス、
−  検出結果を含む前記第１信号を検出し、前記検出結果に応じて第２信号を生成するための第１制御部であり、前記検出結果は、前記第２の装置が前記コードを理解していないことを示す、第１制御部、及び
−  前記デバイスに前記第２信号を送信するための第２インターフェイスであり、前記第２信号は：
（ｉ）前記第２の装置が、前記コードを受信したこと、
（ｉｉ）前記第２の装置に対して前記デバイスによって送信されたように前記第２の装置が前記コードを理解していないこと、及び
（ｉｉｉ）所与の期間内に、異なる、正しいコードを前記第２の装置に送ることを、前記第２の装置が前記デバイスに要求していること、
を、前記デバイスに通知する、第２インターフェイス、
を有する、第１の装置。
【請求項２】
前記第１制御部は、前記第１制御部自体の主導で前記第１信号の検出を開始するように、又は前記デバイスによって送信された第３信号の受信に応じて前記第１信号の検出を開始するように構成されている、請求項１に記載の第１の装置。
【請求項３】
前記第１制御部は、前記第１信号を検出し、検出結果に応じて、前記第２の装置を遠隔制御するための前記デバイスの設定に支援を提供するために前記第２信号を生成する、請求項１に記載の第１の装置。
【請求項４】
−  コードを記憶するための第１メモリであり、前記第２インターフェイスは前記コードを前記デバイスに送信するように構成され、前記コードは、前記第２の装置を遠隔制御するために前記デバイスによって使用されるように定められている、第１メモリ、
を更に有する、請求項１に記載の第１の装置。
【請求項５】
前記第１インターフェイスは、前記コードを前記第２の装置から受信するように構成されているか、又は当該第１の装置は、前記コードをダウンロードするように構成されている、請求項４に記載の第１の装置。
【請求項６】
−  前記デバイスによる当該第１の装置の遠隔制御のために前記デバイスから第４信号を受信するための、第３インターフェイス、
を更に有する、請求項１に記載の第１の装置。
【請求項７】
第２の装置から第１信号を受信する第１の装置を遠隔制御するためのデバイスであって、当該デバイスは、
−  前記第２の装置にコードを送信するための第４インターフェイスであり、前記コードは、前記第２の装置を遠隔制御するためのコードである、第４インターフェイス、
−  前記第１の装置から第２信号を受信するための、第５インターフェイス、及び
−  前記第２の装置を遠隔制御するための当該デバイスを設定するために前記第２信号を検出するための第２制御部であり、前記第２信号は、前記第２の装置が当該デバイスから前記コードを受信したことを当該デバイスに通知し、前記第１の装置は、検出結果を含む前記第１信号を検出し、前記検出結果に応じて前記第２信号を生成するように構成されており、前記第２信号は：
（ｉ）前記コードを受信しており、
（ｉｉ）前記第２の装置に対して当該デバイスによって送信されたように前記コードを理解しておらず、且つ
（ｉｉｉ）所与の期間内に、異なる、正しいコードを前記第２の装置に送ることを当該デバイスに要求している、
ものとして、前記第２の装置を規定する、第２制御部、
を有する、デバイス。
【請求項８】
前記第２制御部は、前記第２制御部自体の主導で設定を開始するように、又は前記第１の装置によって送信されたトリガ信号の受信に応じて設定を開始するように構成されている、請求項７に記載のデバイス。
【請求項９】
−  コードを記憶するための第２メモリであり、前記コードは、前記第２の装置を遠隔制御するために当該デバイスによって使用されるように定められている、第２メモリ、
を更に有する、請求項７に記載のデバイス。
【請求項１０】
前記第５インターフェイスは、前記コードを前記第１の装置から受信するように構成されているか、又は当該デバイスは、前記コードをダウンロードするように構成されている、請求項９に記載のデバイス。
【請求項１１】
−  当該デバイスによる前記第１の装置の遠隔制御のために前記第１の装置に第４信号を送信するための第６インターフェイス、
を更に有する、請求項７に記載のデバイス。
【請求項１２】
前記第１の装置及び前記第２の装置は、使用者に情報を主に提供するための機器をそれぞれ有し、前記機器は、前記機器自体を介して直接的に又は他の機器を介して間接的に情報を提供する、
請求項１に記載の第１の装置及び請求項７に記載のデバイスを有する、システム。
【請求項１３】
前記第１の装置は、セットトップボックス、テレビジョン、コンピュータ、ビデオプレーヤー、ビデオプレーヤー／レコーダー、オーディオプレーヤー及び／又はオーディオプレーヤー／レコーダーを含む第１のリストから少なくとも一つを有し、前記デバイスは、遠隔制御装置、電話機、コンピュータ、ビデオプレーヤー、ビデオプレーヤー／レコーダー、オーディオプレーヤー及び／又はオーディオプレーヤー／レコーダーを含む第２のリストから少なくとも一つを有する、請求項１２に記載のシステム。
【請求項１４】
前記第２インターフェイス及び前記第５インターフェイスは無線規格によって動作し、前記第１インターフェイスは有線規格又は無線規格によって動作し、前記第４インターフェイスは無線規格によって動作する、請求項１２に記載のシステム。
【請求項１５】
前記第２インターフェイス及び前記第５インターフェイスは家電規格用無線周波数によって動作し、前記第１インターフェイスは高品位マルチメディアインターフェイス規格又はデジタルリビングネットワーク機器規格又はユニバーサルプラグ及びプレイ規格によって動作し、前記第４インターフェイスは赤外線規格によって動作する、請求項１２に記載のシステム。
【発明の詳細な説明】
【技術分野】
【０００１】
本発明は、デバイスによって遠隔操作されるように設定された第１の装置に関する。本発明は更に、デバイス及びシステムに関する。
【０００２】
そのような第１の装置の例は、セットトップボックス、テレビジョン、ビデオプレーヤー、ビデオプレーヤー／レコーダー、オーディオプレーヤー及び／又はオーディオプレーヤー／レコーダーである。そのようなデバイスの例は、遠隔制御装置、携帯電話、携帯型コンピュータ、携帯型ビデオプレーヤー、携帯型ビデオプレーヤー／レコーダー、携帯型オーディオプレーヤー及び／又は携帯型オーディオプレーヤー／レコーダーである。
【背景技術】
【０００３】
欧州特許出願公開第２４７２８９４Ａｌ号明細書は、遠隔制御デバイスを開示する。この遠隔制御デバイスは、プログラム可能な遠隔制御デバイスである。遠隔制御デバイスをプログラムするために、使用者は、比較的多く巻き込まれる（involved）。
【０００４】
米国特許出願公開第２００４／０１４８６３２Ａｌ号明細書は、遠隔制御装置及びそのためのセットトップボックスを開示する。
【先行技術文献】
【特許文献】
【０００５】
【特許文献１】欧州特許出願公開第２４７２８９４Ａｌ号明細書
【特許文献２】US2004／0148632  Al
【発明の概要】
【発明が解決しようとする課題】
【０００６】
本発明の一つの目的は、改良された第１の装置を提供することである。本発明の更なる目的は、改良されたデバイスを提供すること及びシステムを提供することである。
【課題を解決するための手段】
【０００７】
第１の態様によれば、デバイスによって遠隔制御されるように構成された第１の装置が提供され、第１の装置は、
−  第２の装置から第１信号を受信するための第１インターフェイスであり、第１信号は、デバイスからコードを受信した第２の装置を規定する、第１インターフェイス、
−  デバイスに第２信号を送信するための第２インターフェイスであり、第２信号は、デバイスに、コードを受信した第２の装置を通知する、第２インターフェイス、及び
−  第１信号を検出し、検出結果に応じて第２信号を生成するための第１制御部であり、検出結果は、第２の装置がコードを理解した（understood）こと又は理解していないことを示す、第１制御部、
を有する。
【０００８】
第１の装置は、デバイスを介して遠隔操作されてもよい。デバイスは、第１の装置を識別する（knows）が、第２の装置を識別しない。第１インターフェイスは、第２の装置から第１の装置への第１の通信を可能にする。第２インターフェイスは、第１の装置からデバイスへの第２の通信を可能にする。第１制御部（first  controller）は、第１信号を検出し、検出結果に応じて第２信号を生成することによって、第２の装置を遠隔制御するためのデバイスの設定（configuration）に支援（assistance）を提供してもよい。第１信号は、第２の装置がデバイスからコードを受信したことを規定（define）してもよい。コードは、例えば、テレビジョンの形の第２の装置に関しては、ボリュームアップ、ボリュームダウン、チャネルアップ、チャネルダウン等であってもよく、例えば、ビデオプレーヤーの形の第２の装置に関しては、再生、早送り、巻戻し、一時停止等であってもよい。検出結果は、第２の装置に対してデバイスによって送信されたように第２の装置がコードを理解したか又はコードを理解していないことを示してもよい。第２信号は、何れのコードが受信されたかを更に規定してもよい。結果として、デバイスは、使用者が比較的多く巻き込まれることなく第２の装置を遠隔制御するように設定及び／又はプログラムされ得る。これは、大きな改良である。
【０００９】
第１の装置の一つの実施形態は、第１制御部自体の主導で（on  its  own  initiative）第１信号の検出を開始するように、又はデバイスによって送信された第３信号の受信に応じて第１信号の検出を開始するように構成されている第１制御部によって規定される。第１の装置は、第１の装置は第２の装置と同様にデバイスと通信することができるという事実のために、デバイスの設定において重要な役割を果たす。第１の装置は、第１の装置自体の主導で第１信号の検出（を待つこと）を開始してもよく、又は第１の装置は、デバイスから第１の装置に送信された第３信号の形のデバイスからの命令に応じて、第１信号の検出（を待つこと）を開始してもよい。第３信号は、デバイスから第１の装置に直接的に送信されてもよく、又は第２の装置を介して間接的に送信されてもよい。第１の装置は、例えば、第１の装置自体の主導で第１信号の検出を開始し、その後デバイスに通知してもよく、又は第１の装置は、例えば、そのような設定を開始したデバイスに応じて第１信号の検出を開始してもよい。後者の場合において、デバイスは、第３信号を介して第１の装置に通知していてもよい。
【００１０】
第１の装置の一つの実施形態は、第１制御部が、第１信号を検出し、検出結果に応じて、第２の装置を遠隔制御するためのデバイスの設定に支援を提供するために第２信号を生成することによって規定される。
【００１１】
第１の装置の一つの実施形態は、
−  コードを記憶するための第１メモリであり、第２インターフェイスはコードをデバイスに送信するように構成され、コードは、第２の装置を遠隔制御するためにデバイスによって使用されるように定められている（destined）、第１メモリ、
を更に有することによって規定される。第１の装置は、第２の装置を制御するためのコードをデバイスに提供してもよい。
【００１２】
第１の装置の一つの実施形態は、第１インターフェイスが、コードを第２の装置から受信するように構成されているか、又は第１の装置が、コードをダウンロードするように構成されていることによって規定される。第１の装置は、コードを第２の装置から受信してもよく、又はこれらのコードを、第２の装置の規定について通知されることに応じてダウンロードしてもよい。
【００１３】
第１の装置の一つの実施形態は、
−  デバイスによる第１の装置の遠隔制御のためにデバイスから第４信号を受信するための、第３インターフェイス、
を更に有することによって規定される。デバイスは、第３インターフェイスを介して第１の装置によって受信される第４信号を介して第１の装置を制御し得る。第４信号は、コード又はその他の信号であってもよく、第３インターフェイスは、第２インターフェイスと同一であってもよく又は第２インターフェイスと異なってもよい。
【００１４】
第２の態様によれば、デバイスは、第１の装置を遠隔制御するために提供され、デバイスは、
−  第２の装置を遠隔制御するために第２の装置にコードを送信するための第４インターフェイスであり、第１の装置は第２の装置から第１信号を受信するように構成されており、第１信号は、コードを受信した第２の装置を規定する、第４インターフェイス、
−  第１の装置から第２信号を受信するための、第５インターフェイス、及び
−  第２の装置を遠隔制御するためのデバイスを設定するために第２信号を検出するための第２制御部であり、第２信号は、デバイスからコードを受信した第２の装置をデバイスに通知し、第１の装置は、第１信号を検出し、検出結果に応じて第２信号を生成するように構成されており、検出結果は、第２の装置がコードを理解したこと又は理解していないことを示す、第２制御部、
を有する。
【００１５】
デバイスの一つの実施形態は、第２制御部が、第２制御部自体の主導で設定を開始するように、又は第１の装置によって送信されたトリガ信号の受信に応じて設定を開始するように構成されていることによって規定される。このトリガ信号は、例えば、第５インターフェイスを介して交換可能であってもよい。
【００１６】
デバイスの一つの実施形態は、
−  コードを記憶するための第２メモリであり、コードは、第２の装置を遠隔制御するためにデバイスによって使用されるように定められている、第２メモリ、
を更に有することによって規定される。
【００１７】
デバイスの一つの実施形態は、第５インターフェイスが、コードを第１の装置から受信するように構成されているか、又はデバイスが、コードをダウンロードするように構成されていることによって規定される。デバイスは、第２の装置を遠隔制御するためのコードを第１の装置から受信してもよく、又はこれらのコードをダウンロードしてもよい。
【００１８】
デバイスの一つの実施形態は、
−  デバイスによる第１の装置の遠隔制御のために第１の装置に第４信号を送信するための第６インターフェイス、
を更に有することによって規定される。第４信号は、コード又はその他の信号であってもよく、第６インターフェイスは、第４インターフェイスと同一であってもよく又は第４インターフェイスと異なってもよく、第５インターフェイスと同一であってもよく又は第５インターフェイスと異なってもよい。
【００１９】
第３の態様によれば、上で規定されたような第１の装置及び上で規定されたようなデバイスを有するシステムが提供され、第１の装置及び第２の装置は、使用者に情報を主に提供するための機器（appliance）をそれぞれ有し、機器は、機器自体を介して直接的に又は他の機器を介して間接的に情報を提供し、第１の装置及び第２の装置は、異なる機器に主にインターフェイス接続する（interface）ゲートウェイを有しない（being  no  gateways）。
【００２０】
システムの一つの実施形態は、第１の装置が、セットトップボックス、テレビジョン、コンピュータ、ビデオプレーヤー、ビデオプレーヤー／レコーダー、オーディオプレーヤー及び／又はオーディオプレーヤー／レコーダーを含む第１のリストから少なくとも一つを有し、デバイスが、遠隔制御装置（remote  control）、電話機、コンピュータ、ビデオプレーヤー、ビデオプレーヤー／レコーダー、オーディオプレーヤー及び／又はオーディオプレーヤー／レコーダーを含む第２のリストから少なくとも一つを有することによって規定される。第２の装置は、第１のリストから他の一つを通常有してもよい。
【００２１】
システムの一つの実施形態は、第２インターフェイス及び第５インターフェイスは無線規格（wireless  standard）によって動作し、第１インターフェイスは有線規格又は無線規格によって動作し、第４インターフェイスは無線規格によって動作することによって規定される。
【００２２】
システムの一つの実施形態は、第２インターフェイス及び第５インターフェイスは家電規格用無線周波数（radio-frequency-for-consumer-electronics  standard）によって動作し、第１インターフェイスは高品位マルチメディアインターフェイス規格（high-definition-multimedia-interface-standard）又はデジタルリビングネットワーク機器規格（digital-  living-network-alliance-standard）又はユニバーサルプラグ及びプレイ規格（universal-plug-and-play-standard）によって動作し、第４インターフェイスは赤外線規格（infrared  standard）によって動作することによって規定される。
【００２３】
一つの洞察は、第２の装置の遠隔制御のためのデバイスの設定中に使用者を巻き込むことは、低減されるべきであることである。基本的な考えは、第１の装置が、デバイスと第２の装置との間のインターフェイス接続の役割を果たすべきであることである。
【００２４】
改良された第１の装置及び改良されたデバイスを提供する一つの課題は、解決された。一つの更なる利点は、デバイスをプログラムするために、使用者は比較的少しだけ巻き込まれることである。
【００２５】
本発明のこれら及び他の態様は、本明細書において以下に記述される複数の実施形態から明らかになり、これらの実施形態を参照して解明されるであろう。
【図面の簡単な説明】
【００２６】
【図１】図１は、第１の装置の実施形態及びデバイスの実施形態を示す。
【図２】図２は、フローチャートを示す。
【発明を実施するための形態】
【００２７】
図１に、第１の装置１の一つの実施形態及びデバイス３の一つ実施形態が示されている。第１の装置１、例えばセットトップボックス、テレビジョン、コンピュータ、ビデオプレーヤー、ビデオプレーヤー／レコーダー、オーディオプレーヤー及び／又はオーディオプレーヤー／レコーダーは、第２の装置２、例えばセットトップボックス、テレビジョン、コンピュータ、ビデオプレーヤー、ビデオプレーヤー／レコーダー、オーディオプレーヤー及び／又はオーディオプレーヤー／レコーダーから第１信号を受信するための第１インターフェイス１１を有する。第１の装置１は、デバイス３、例えば遠隔制御装置、電話機、コンピュータ、ビデオプレーヤー、ビデオプレーヤー／レコーダー、オーディオプレーヤー及び／又はオーディオプレーヤー／レコーダーに第２信号を送信するための第２インターフェイス１２、並びに、第１信号を検出し、検出結果に応じて、第２の装置２を遠隔制御するためのデバイス３の設定に支援を提供するために第２信号を生成するための第１制御部２１、を更に有する。好ましくは、第１制御部２１は、支援を提供するために、第１制御部自体の主導で検出を開始するように、又はデバイス３によって送信された第３信号の受信に応じて検出を開始するように構成されている。第１信号は、例えば、第２の装置２がデバイス３からコードを受信したことを規定する。第２信号は、例えば、デバイス３にその受信を通知する。
【００２８】
デバイス３は、第１の装置１を遠隔制御することができ、第１の装置１との協働を介して第２の装置２を遠隔制御するように設定及び／又はプログラムされている。それに対して、デバイス３は、第２の装置２を遠隔制御するために第２の装置２にコードを送信するための第４インターフェイス１４、第１の装置１から第２信号を受信するための第５インターフェイス１５、及び、第２の装置２を遠隔制御するためのデバイス３を設定するために第２信号を検出するための第２制御部２２であり、第２信号は、デバイス３からコードを受信した第２の装置２をデバイス３に通知する、第２制御部２２を有する。第１信号、第２信号及び第３信号は、上述されている。
【００２９】
好ましくは、第１の装置１は、デバイス３に第２の装置２を遠隔制御させるように設計されたコードを記憶するための第１メモリ３１を有してもよい。第２インターフェイス１２は、コードをデバイス３に送信するように構成されてもよい。第１インターフェイス１１は、これらのコードを第２の装置２から受信するように構成されてもよく、又は第１の装置１は、例えばインターネットインターフェイス４１を介して、コードをダウンロードするように構成されてもよい。第１の装置１は、デバイス３による第１の装置１の遠隔制御のためにデバイス３から第４信号を受信するための、第３インターフェイス１３を更に有してもよい。
【００３０】
好ましくは、デバイス３は、デバイス３に第２の装置２を遠隔制御させるように設計されたコードを記憶するための第２メモリ３２を更に有してもよい。第５インターフェイス１５は、コードを第１の装置１から受信するように構成されてもよく、又はデバイス３は、例えばインターネットインターフェイス４２を介して、コードをダウンロードするように構成されてもよい。デバイス３は、デバイス３による第１の装置１の遠隔制御のために第１の装置１に第４信号を送信するための第６インターフェイス１６、を更に有してもよい。
【００３１】
インターフェイス１２及び１３は、同一のインターフェイスであっても、そうでなくてもよい。インターフェイス１４及び１６は、同一のインターフェイスであっても、そうでなくてもよい。インターフェイス１５及び１６は、同一のインターフェイスであっても、そうでなくてもよい。インターフェイス１２−１６は通常は無線規格によって動作し、インターフェイス１１は通常は有線規格によって動作するが、代替的に無線規格によって動作してもよい。インターフェイス１２及び１５は、家電規格用無線周波数によって動作してもよい。インターフェイス１１は、高品位マルチメディアインターフェイス規格又はデジタルリビングネットワーク機器規格又はユニバーサルプラグ及びプレイ規格によって動作してもよく、インターフェイス１３，１４及び１６は、赤外線規格（infrared  standard）によって動作してもよい。コードは、赤外線コードであってもよいが、無線周波数コードを除外しない。また、第４信号は、無線周波数コードであってもよいが、赤外線コードを除外しない。実際には、いずれの信号も、有線又は無線の通信のために使用されるような如何なる信号の種類であってもよい。有線インターフェイス及び無線インターフェイスは更に、インターネットプロトコル等によって動作してもよい。各有線リンク及び各無線リンクは、一方向性リンク又は双方向性リンクであってもよい。有線イーサネット（登録商標）、ワイヤレスＷｉ−Ｆｉ及びインターネットプロトコルは、排除等されるべきでない。
【００３２】
図２に、フローチャートが示されている。以下のブロックは、以下の意味を有する。
【００３３】
ブロック５１：第１の装置１によって始動される（initiated）、デバイス３の設定の開始。第１の装置１は、例として、第１インターフェイス１１を介して受信される高品位マルチメディアインターフェイス規格信号のような情報信号を介して決定される、そのブランド、商標、種類などを介して第２の装置２を特定している。ブロック５２に進む。
【００３４】
ブロック５２：第１の装置１は、例えば第２インターフェイス１２及び第５インターフェイス１５を介して、トリガ信号をデバイス３に送信し、それにより、デバイス３に第２の装置２の特定について通知し、例えば期間（time-interval）を開始する。ブロック５３に進む。
【００３５】
ブロック５３：第１の装置１は、第１インターフェイス１１を介して到着する第１信号を監視する。期間内に適切な（relevant）第１信号が到着した場合は、ブロック５４に進み、そうでなければ、ブロック５６に進む。
【００３６】
ブロック５４：第１の装置１は適切な第１信号を検出する。第２の装置２に対してデバイス３によって送信されたように第２の装置２がコードを理解したことを適切な第１信号が示す場合は、ブロック５５に進み、そうでなければ、ブロック５７に進む。
【００３７】
ブロック５５：設定の終了。第１の装置１は、デバイス３が正しいコードを使用したことを、第２信号を介してデバイス３に通知する。
【００３８】
ブロック５６：第１の装置１は、他のコードが試されるべきであることを、第２信号を介してデバイス３に通知し、期間を開始する。ブロック５３に進む。
【００３９】
ブロック５７：第１の装置１は、他のコードが試されるべきであることをデバイス３に通知するためにデバイス３に第２信号を送信し、期間を開始する。ブロック５３に進む。
【００４０】
デバイス３の設定の開始は、第１の装置１によって始動される。第１の装置１は、例として、第１インターフェイス１１を介して受信される高品位マルチメディアインターフェイス規格信号のような情報信号を介して決定される、そのブランド、商標、種類などを介して第２の装置２を特定している（ブロック５１）。代替的に、第１の装置１は、例えば第１インターフェイス１１を介して、第２の装置の存在を検出しているだけであってもよい。第１の装置１は、例えば第２インターフェイス１２及び第５インターフェイス１５を介して、トリガ信号をデバイス３に送信し、それにより、デバイス３に第２の装置２の特定又は存在について通知し、それにより、第２の装置２に対してコードを送信するようにデバイス３に命令し、期間を開始する（ブロック５２）。代替的に、期間は、デバイス３から第２／第３インターフェイス１２／１３を介して到着する確認に応じて開始される。第１の装置１は、第１インターフェイス１１を介して到着する第１信号を監視する（ブロック５３）。不適切な第１信号、例えば遠隔制御行為に応じて作り出されていない第１信号は無視されるべきである。期間内に適切な第１信号が到着した場合は、第１の装置１は適切な第１信号を検出する（ブロック５４）。第２の装置２に対してデバイス３によって送信されたように第２の装置２がコードを理解したことを適切な第１信号が示す場合は、これは、設定の終了であってもよく（ブロック５５）、第１の装置１は、デバイス３が正しいコードを使用したことを、第２信号を介してデバイス３に通知してもよい。デバイス３は、今や、何れのコードが第２の装置２を遠隔制御するために使用されるべきかを知っている。代替的に、設定の終了に到達する前に、より多くのコードが試されてもよい。別の方法では、理解されていない場合（ブロック５６及び５７）、第１の装置は、他のコードが試されるべきであることを、デバイス３に通知するために、デバイス３に対して第２信号を送信し、再び期間を開始する等してもよい。さらに、期間中に全く第１信号が到着しないこと、及び第１の装置１が、期間が経過した後にそれに応答するように構成されること等もあり得る。設定の終了（ブロック５５）はまた、全くコードが働いていない場合に到達されてもよい。
【００４１】
代替的に、デバイス３の設定の開始は、デバイス３によって始動されてもよい。その場合において、デバイス３は、例えば使用者入力に応じて、第３信号を介して開始について第１の装置１に通知してもよく、しなくてもよく、第２の装置２にコードを送信する。第１の装置１は、第１インターフェイス１１を介して到着する第１信号を監視及び検出し、第２信号を介してデバイス３に通知する。第２の装置２に対してデバイス３によって送信されたように第２の装置２がコードを理解していることが明確になった場合には、デバイス３は、設定を停止することを決定してもよい。代替的に、設定の終了に到達する前に、より多くのコードが試されてもよい。別の方法では、理解されていない場合に、デバイス３は、次のコードを第２の装置２に送信し、第１の装置１からの第２信号を待ってもよい。その第２信号は、第２の装置２がこの次のコードを理解したか又は理解していないか等を示してもよい。上記の待機は、期間を監視すること等によって管理されてもよい。そして再び、期間中にデバイス３が第２信号を受信しないこと、及びデバイス３が、期間が経過した後にそれに応答するように構成されること等もあり得る。設定の終了はまた、全くコードが働いていない場合に到達されてもよい。
【００４２】
コードは、第１信号がコードの受信に応じて生成され、第１インターフェイス１１を介して検出される限り、第２の装置２を遠隔制御するための如何なるコードを含んでもよい。コードは、例えば、テレビジョンの形の第２の装置２に関して、ボリュームアップ、ボリュームダウン、チャネルアップ、チャネルダウン等であってもよく、例えば、ビデオプレーヤーの形の第２の装置に関しては、再生、早送り、巻戻し、一時停止等であってもよい。
【００４３】
第１の装置１及び第２の装置２は、使用者に情報を主に提供するための機器をそれぞれ有し、機器は、機器自体を介して直接的に又は他の機器を介して間接的に情報を提供する。第１の装置１及び第２の装置２は、異なる機器に主にインターフェイス接続するゲートウェイを有しない。
【００４４】
第１の装置１及び／又はデバイス３は、前記の期間又は他の期間を監視するためのモニタを更に有してもよい。そのため、第１の装置１及びデバイス３は、同じ識別レベル（decision  level）上であってもよく、又はそれらの各々は、他方よりも高い識別レベル上であってもよい。その場合において、それらの各々は、マスター又はスレーブであってもよい。
【００４５】
上に記述されたような期間の監視は単なる例示であり、代替的に、監視は、例えば第１信号が規則的に生成され、それぞれが、コードが受信されたか否かを規定するが、それぞれが、コードが受信されたか否かとは独立して作り出される場合において、必要でなくてもよい。
【００４６】
要約すると、デバイス３によって遠隔操作される第１の装置１は、第２の装置２から、第２の装置２がデバイス３からコードを受信したことを規定する第１信号を受信するためのインターフェイス１１、デバイス３に第２信号を送信するためのインターフェイス１２、及び第１信号を検出し、検出結果に応じて第２の装置２を遠隔制御するためのデバイス３の設定に支援を提供するために第２信号を生成するための第１制御部２１、を有する。第１の装置１を遠隔制御するためのデバイス３は、第２の装置２を遠隔制御するために第２の装置２にコードを送信するためのインターフェイス１４、第１の装置１から第２信号を受信するためのインターフェイス１５、及び第２の装置２を遠隔制御するためのデバイス３を設定するために第２信号を検出するための第２制御部２２、を有する。
【００４７】
本発明は、図面及び先の記述において詳細に説明及び記述されてきたが、そのような説明及び記述は、説明的又は例示的なものであって、制限的なものではないと考えられるべきである。本発明は、開示された実施形態に限定されない。開示された実施形態への他の変形が、特許請求された発明の実践において、図面、開示及び添付の特許請求の範囲の検討から、当業者によって理解及び実現され得る。特許請求の範囲において、単語“有する”は、他の要素又はステップを排除せず、また不定冠詞の“一つの”又は“ある”は複数を排除しない。特定の手段が互いに異なる従属請求項に列挙されているという単なる事実は、これらの手段の組み合わせが有利に使用され得ないことを示さない。特許請求の範囲における如何なる参照符号も、範囲を限定するものとして解釈されるべきではない。
【図１】
0006277263.tif 000002
【図２】
0006277263.tif 000003